(57)【要約】  適切に、レピティション送信方法を動的に変更することができる基地局。基地局（１００）において、レピティション制御部（１０３）は、端末（２００）に対するデータの繰り返しパターン（レピティションパターン）を決定する。また、送信部（１０９）は、繰り返しパターンに基づいてデータを繰り返し送信（レピティション送信）する。ここで、データの繰り返しパターンは、ダイナミックシグナリングによって端末（２００）に通知される制御情報に対応付けられている。
2019159548.tif 000002
【特許請求の範囲】
【請求項１】
端末に対するデータの繰り返しパターンを決定する決定回路と、
前記繰り返しパターンに基づいて前記データを繰り返し送信する送信回路と、
を具備し、
前記繰り返しパターンは、ダイナミックシグナリングによって前記端末に通知される制御情報に対応付けられている、
送信装置。
【請求項２】
前記繰り返しパターンは、少なくとも、前記データの繰り返し数を含み、
前記端末に割り当てられたリソース数が少ないほど、前記繰り返し数は多い、
請求項１に記載の送信装置。
【請求項３】
前記端末に割り当てられた帯域幅が狭いほど、前記繰り返し数は多い、
請求項２に記載の送信装置。
【請求項４】
前記端末に割り当てられたシンボル数が少ないほど、前記繰り返し数は多い、
請求項２に記載の送信装置。
【請求項５】
前記繰り返しパターンは、少なくとも、前記データの繰り返し数を含み、
前記端末に設定されたサブキャリア間隔が広いほど、前記繰り返し数は多い、
請求項１に記載の送信装置。
【請求項６】
前記繰り返しパターンは、さらに、RVの送信順序を表すRV orderを含み、
各サブキャリア間隔における前記RV orderに含まれるRV数は、前記サブキャリア間隔毎に設定される前記繰り返し数と同数である、
請求項５に記載の送信装置。
【請求項７】
前記繰り返しパターンは、少なくとも、繰り返し送信される前記データの送信間隔を含み、
前記端末に設定されたサブキャリア間隔が広いほど、前記送信間隔は長い、
請求項１に記載の送信装置。
【請求項８】
前記繰り返しパターンは、少なくとも、RVの送信順序を表すRV orderを含み、
前記端末に設定されたサブキャリア間隔が広いほど、RV orderにおけるRVのパターンの変化が少ない、
請求項１に記載の送信装置。
【請求項９】
前記繰り返しパターンは、少なくとも、前記データの繰り返し数を含み、
前記繰り返し数は、前記端末に設定された上りチャネル種別がＳＵＬ（Supplementary uplink）である場合よりも、前記上りチャネル種別がｎｏｎ−ＳＵＬである場合の方が多い、
請求項１に記載の送信装置。
【請求項１０】
端末に対するデータの繰り返しパターンを決定する決定回路と、
前記繰り返しパターンに基づいて、繰り返し送信された前記データを受信する受信回路と、
繰り返し送信された前記データを合成する復号回路と、
を具備し、
前記繰り返しパターンは、ダイナミックシグナリングによって前記端末に通知される制御情報に対応付けられている、
受信装置。
【請求項１１】
端末に対するデータの繰り返しパターンを決定し、
前記繰り返しパターンに基づいて前記データを繰り返し送信し、
前記繰り返しパターンは、ダイナミックシグナリングによって前記端末に通知される制御情報に対応付けられている、
送信方法。
【請求項１２】
端末に対するデータの繰り返しパターンを決定し、
前記繰り返しパターンに基づいて、繰り返し送信された前記データを受信し、
繰り返し送信された前記データを合成し、
前記繰り返しパターンは、ダイナミックシグナリングによって前記端末に通知される制御情報に対応付けられている、
受信方法。
【発明の詳細な説明】
【技術分野】
【０００１】
本開示は、送信装置、受信装置、送信方法及び受信方法に関する。
【背景技術】
【０００２】
5Gの標準化において、LTE/LTE-Advancedとは必ずしも後方互換性を持たない新しい無線アクセス技術（NR：New Radio）が3GPPで議論されている。【０００３】
NRでは、5Gの要件の1つであるURLLC（Ultra-Reliable and Low Latency Communications：超高信頼低遅延）をターゲットとした技術検討が進められている。URLLCは、32バイトのパケットデータ量を10-5以下のパケット送信誤り率（99.999%以上のパケット送信成功率）の「高信頼」と、無線区間1ms以下の「低遅延」とを同時に満たすことが求められる（例えば、非特許文献１を参照）。【０００４】
上述したURLLCの要求条件を満たすために、所定時間単位（例えば、0.5ms slot単位(subcarrier spacing = 30kHz)、あるいは、0.25ms slot単位(subcarrier spacing = 60kHz))で生成されたパケットデータを繰り返し送信（レピティション送信）することが検討されている（例えば、非特許文献２を参照）。受信側は、レピティションされた信号を合成することでパケット送信誤り率を低減できる。また、送信側は、受信側からの再送制御情報が含まれるフィードバック情報を待たずに、パケットデータを繰り返し送信することで遅延が低減できる。なお、レピティション送信は、上りデータチャネル（PUSCH：Physical Uplink Shared Channel）、及び、下りデータチャネル（PDSCH：Physical Downlink Shared Channel）の双方に適用できる。【０００５】
非特許文献２では、図１の（ａ）、（ｂ）に示すように、URLLCをターゲットとした異なるレピティション送信方法が検討されている。また、非特許文献２には、最適なレピティション送信方法は、各端末の無線チャネル状況又はトラフィック量等により動的に変わることが記載されている。【０００６】
例えば、図１の（ａ）に示すレピティション送信方法は、遅延のBuffer budget（初回パケット送信時（例えば、タイミング#n）から、要求されるパケットdelay budgetタイミングまでの残時間)が小さい場合に適したレピティション送信方法である。具体的には、図１の（ａ）では、連続時間（タイミング#n、#(n+1)）でパケットが繰り返し送信される。このように未送信区間（ギャップ区間）無しでレピティション送信することで、遅延が低減できる。一方で、送信側では、受信状況が十分に考慮できないため、レピティションデータに対して過剰な無線リソース割当を行う場合が生じ、無線リソースの利用効率が低下する場合がある。【０００７】
図１の（ｂ）に示すレピティション送信方法は、遅延のBuffer budgetが大きい場合に適したレピティション送信方法である。図１の（ｂ）では、ギャップ区間を含めた非連続時間（タイミング#n、#(n+2)）でパケットを繰り返し送信する。送信側は、ギャップ区間において受信側からフィードバック情報を受信することにより、2回目以降のレピティションデータに対して、効率的な無線リソース割当が可能となる。例えば、受信側は、パケット復号OK（誤り無し）であった場合には、フィードバック情報を用いて、以降のレピティション送信の停止を指示できる。また、受信側は、パケット復号NG（誤り有り）であった場合には、フィードバック情報を用いて、パケット復号OKとなるために必要な周波数リソース割当を以降のレピティション送信に指示できる。
【先行技術文献】
【非特許文献】
【０００８】
【非特許文献１】3GPP TR 38.913 V14.3.0, "Study on Scenarios and Requirements for Next Generation Access Technologies (Release 14)" (2017-06)
【非特許文献２】R1-1719404, "On supporting ultra-reliability in a resource efficient way", Huawei, HiSilicon, December 2017
【非特許文献３】3GPP TR 38.212 V15.0.0, “NR Multiplexing and channel coding (Release 15)” (2017-12)
【発明の概要】
【０００９】
上述した各端末のBuffer budgetは、パケットのスケジューリングタイミングに依存して時間的に変動する。したがって、端末毎に適用するレピティション送信方法についても動的に変更する方法について検討する必要がある。
【００１０】
本開示の一態様は、適切に、レピティション送信方法を動的に変更することができる送信装置、受信装置、送信方法及び受信方法の提供に資する。
【００１１】
本開示の一態様に係る送信装置は、端末に対するデータの繰り返しパターンを決定する決定回路と、前記繰り返しパターンに基づいて前記データを繰り返し送信する送信回路と、を具備し、前記繰り返しパターンは、ダイナミックシグナリングによって前記端末に通知される制御情報に対応付けられている。
【００１２】
本開示の一態様に係る受信装置は、端末に対するデータの繰り返しパターンを決定する決定回路と、前記繰り返しパターンに基づいて、繰り返し送信された前記データを受信する受信回路と、繰り返し送信された前記データを合成する復号回路と、を具備し、前記繰り返しパターンは、ダイナミックシグナリングによって前記端末に通知される制御情報に対応付けられている。
【００１３】
本開示の一態様に係る送信方法は、端末に対するデータの繰り返しパターンを決定し、前記繰り返しパターンに基づいて前記データを繰り返し送信し、前記繰り返しパターンは、ダイナミックシグナリングによって前記端末に通知される制御情報に対応付けられている。
【００１４】
本開示の一態様に係る受信方法は、端末に対するデータの繰り返しパターンを決定し、前記繰り返しパターンに基づいて、繰り返し送信された前記データを受信し、繰り返し送信された前記データを合成し、前記繰り返しパターンは、ダイナミックシグナリングによって前記端末に通知される制御情報に対応付けられている。
【００１５】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１６】
本開示の一態様によれば、適切に、レピティション送信方法を動的に変更することができる。
【００１７】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１８】
【図１】レピティション送信の一例を示す図
【図２】下りデータチャネルを用いる場合の基地局の一部の構成を示すブロック図
【図３】下りデータチャネルを用いる場合の端末の一部の構成を示すブロック図
【図４】上りデータチャネルを用いる場合の端末の一部の基地局の構成を示すブロック図
【図５】上りデータチャネルを用いる場合の端末の一部の構成を示すブロック図
【図６】下りデータチャネルを用いる場合の基地局の構成を示すブロック図
【図７】下りデータチャネルを用いる場合の端末の構成を示すブロック図
【図８】上りデータチャネルを用いる場合の基地局の構成を示すブロック図
【図９】上りデータチャネルを用いる場合の端末の構成を示すブロック図
【図１０】基地局及び端末の下りデータチャネルを用いる際の動作例を示すシーケンス図
【図１１】基地局及び端末の上りデータチャネルを用いる際の動作例を示すシーケンス図
【図１２Ａ】時間リソースの繰り返し数、送信時間間隔（未送信区間）の一例を示す図
【図１２Ｂ】時間リソースの繰り返し数、送信時間間隔（未送信区間）の他の例を示す図
【図１３】周波数リソースの繰り返し数の一例を示す図
【図１４】周波数割当帯域幅と繰り返し数との対応関係の一例を示す図
【図１５】送信シンボル数と繰り返し数との対応関係の一例を示す図
【図１６】SCSに応じた繰り返しパターンの一例を示す図
【図１７】SCSと繰り返しパターンとの対応関係の一例を示す図
【図１８】SCSと繰り返しパターンとの対応関係の他の例を示す図
【図１９】SCSに応じた繰り返しパターンの他の例を示す図
【図２０】SCSと繰り返しパターンとの対応関係の他の例を示す図
【図２１】SCSに応じた繰り返しパターンの他の例を示す図
【図２２】SCSとRV orderとの対応関係の一例を示す図
【図２３】上りチャネル種別と繰り返し数との対応関係の一例を示す図
【図２４】シグナリング情報と、周波数割当帯域幅と繰り返し数との対応関係の一例を示す図
【図２５】上りチャネル種別と繰り返し数の候補との対応関係の一例を示す図
【発明を実施するための形態】
【００１９】
以下、本開示の実施の形態について図面を参照して詳細に説明する。
【００２０】
基地局（eNB又はgNBと呼ばれる）が端末（UE：User Equipmentと呼ばれる）の無線チャネル状況に応じて決定したデータチャネルの割当情報（無線リソース割当情報、MCS（Modulation and Coding Scheme）等)は、制御情報（DCI：Downlink Control Information）に含まれ、PDCCH（Physical Downlink Control Channel）を用いて基地局から端末へ通知される。基地局が端末へ適用するレピティション送信方法（繰り返し数、又は、ギャップ区間等の繰り返しパターン）についても同様に、DCIに含めてPDCCHを用いて基地局から端末へ送信されることが考えられる。
【００２１】
一方で、特にURLLC用のPDCCH（NR-PDCCHとも呼ばれる）では、高信頼性が求められるURLLC向けパケットを制御するため、さらに低い誤り率が要求される。NR-PDCCHの送信誤り率を低減させるためには、NR-PDCCHで通知するDCIフォーマットサイズをより小さくする必要がある。
【００２２】
よって、端末の無線チャネル状況に応じた適切な繰り返しパターン（レピティション送信方法）を、少ない制御情報量で通知する必要がある。
【００２３】
そこで、本開示の一態様では、端末の無線チャネル状況に応じた繰り返しパターンを、制御情報量の増加を抑えて動的に通知する方法について説明する。
【００２４】
［通信システムの概要］
本開示の一実施の形態に係る通信システムは、下りデータチャネル（PDSCH）を用いてレピティションデータを送受信する基地局１００及び端末２００、及び／又は、上りデータチャネル（PUSCH）を用いてレピティションデータを送受信する基地局３００及び端末４００を備える。なお、１つの基地局が、基地局１００及び基地局３００の双方の構成を有してもよく、何れか一方の構成を有してもよい。同様に、１つの端末が端末２００及び端末４００の双方の構成を有してもよく、何れか一方の構成を有してもよい。
【００２５】
図２は本開示の実施の形態に係る下りデータチャネル（PDSCH）を用いる場合の基地局１００（つまり、送信装置）の一部の構成を示すブロック図である。図２に示す基地局１００において、レピティション制御部１０３は、端末２００（受信装置）に対するデータの繰り返しパターンを決定し、送信部１０９は、繰り返しパターンに基づいてデータを繰り返し送信する。
【００２６】
図３は本開示の実施の形態に係る下りデータチャネル（PDSCH）を用いる場合の端末２００（つまり、受信装置）の一部の構成を示すブロック図である。図３に示す端末２００において、レピティション制御部２０５は、端末２００に対するデータの繰り返しパターンを決定し、信号抽出部２０３は、繰り返しパターンに基づいて、繰り返し送信されたデータを受信（抽出）し、データ合成復号部２０７は、繰り返し送信されたデータを合成する。
【００２７】
図２及び図３において、データの繰り返しパターンは、ダイナミックシグナリング（DCI）によって端末２００に通知される制御情報に対応付けられている。
【００２８】
図４は本開示の実施の形態に係る上りデータチャネル（PUSCH）を用いる場合の基地局３００（つまり、受信装置）の一部の構成を示すブロック図である。図４に示す基地局３００において、レピティション制御部３０３は、端末４００（送信装置）に対するデータの繰り返しパターンを決定し、信号抽出部３０９は、繰り返しパターンに基づいて、繰り返し送信されたデータを受信（抽出）し、データ合成復号部３１１は、繰り返し送信されたデータを合成する。
【００２９】
図５は本開示の実施の形態に係る上りデータチャネル（PUSCH）を用いる場合の端末４００（つまり、送信装置）の一部の構成を示すブロック図である。図５に示す端末４００において、レピティション制御部４０５は、端末４００に対するデータの繰り返しパターンを決定し、送信部４１０は、繰り返しパターンに基づいてデータを繰り返し送信する。
【００３０】
図４及び図５において、データの繰り返しパターンは、ダイナミックシグナリング（DCI）によって端末４００に通知される制御情報に対応付けられている。
【００３１】
［基地局１００の構成］
図６は、本実施の形態に係る下りデータチャネル（PDSCH）を用いる場合の基地局１００の構成例を示すブロック図である。
【００３２】
図６に示す基地局１００は、スケジューリング部１０１、制御信号生成部１０２、レピティション制御部１０３、制御信号符号化・変調部１０４、データ符号化部１０５、再送制御部１０６、データ変調部１０７、無線リソース割当部１０８、送信部１０９、アンテナ１１０、受信部１１１、信号抽出部１１２、復調・復号部１１３を含む。
【００３３】
スケジューリング部１０１は、端末２００に対する制御信号（PDCCH, NR-PDCCH, DL assignmentとも呼ばれる）、及び、下りデータチャネル（PDSCHとも呼ばれる）の所定のパケット送信時間単位（TTI, slot, mini-slot等。以下、「TU: Transmission Unit」と呼ぶ)における無線リソース割当情報（周波数リソース割当情報、時間リソース割当情報、端末ID、データ復調用参照信号情報、変調・符号化方法など）を決定する。スケジューリング部１０１は、決定した無線リソース割当情報を、制御信号生成部１０２、データ符号化部１０５、無線リソース割当部１０８へ出力する。
【００３４】
制御信号生成部１０２は、端末２００をスケジューリングするための制御情報（DCI）を含む制御信号を生成する。制御情報には、スケジューリング部１０１から入力される、下りデータチャネル(PDSCHとも呼ばれる)の無線リソース割当情報が含まれる。制御信号生成部１０２は、所定サイズのフォーマットで構成される制御情報ビット列を用いて制御信号を生成し、レピティション制御部１０３及び制御信号符号化・変調部１０４へ出力する。
【００３５】
レピティション制御部１０３は、制御信号生成部１０２から入力される制御信号に含まれる制御情報(DCI)を用いて、所定のルールに基づき、端末２００に対するTUあたりのデータ信号用無線リソース割当の繰り返しパターン（レピティションパターン）を決定する。レピティション制御部１０３は、決定した繰り返しパターンを、無線リソース割当部１０８及び再送制御部１０６へ出力する。
【００３６】
ここで、繰り返しパターンとは、TU毎の無線リソース割当の繰り返しパターンであり、「時間領域の繰り返し数(TU数)」、「周波数領域の繰り返し数」、「送信間隔あるいは未送信時間(TU数)」、「TU毎のRV order」の少なくとも１つを含む。なお、周波数領域の繰り返し数とは、例えば、所定の周波数オフセット(例えば、X[PRB：Physical Resource Block])を加えて、割り当てる周波数リソースを繰り返す数を示す。例えば、スケジューリング部１０１において決定した周波数リソース割当がPRB#nであり、レピティション制御部１０３において決定した周波数領域の繰り返し数=2であった場合、基地局１００は、PRB#nに割り当てるデータを、PRB#(X+n)にも割り当てる。
【００３７】
なお、レピティション制御部１０３におけるTU当たりのデータ信号用無線リソース割当の繰り返しパターンの決定方法の詳細は後述する。
【００３８】
制御信号符号化・変調部１０４は、制御信号生成部１０２から入力されるビット列を変調及び符号化して、得られたシンボル列を無線リソース割当部１０８へ出力する。
【００３９】
データ符号化部１０５は、スケジューリング部１０１から入力される符号化方式に従って、送信データに対して誤り訂正符号化を施し、符号化後のデータ信号を再送制御部１０６へ出力する。
【００４０】
再送制御部１０６は、初回（新規）送信時には、データ符号化部１０５から入力される符号化後のデータ信号を保持するとともに、データ変調部１０７へ出力する。また、再送制御部１０６は、再送時には、復調・復号部１１３から入力されるACK/NACK結果に基づいて、保持データを制御する。具体的には、再送制御部１０６は、NACKを受け取った場合、対応する保持データをデータ変調部１０７へ出力する。一方、再送制御部１０６は、ACKを受け取った場合、対応する保持データを破棄し、下りリンクデータの送信を終了する。
【００４１】
ここで、再送制御部１０６は、再送時にデータ変調部１０７へ出力される符号化後のデータとして、送信TU数に応じたRV (Redundancy Version： 誤り訂正用の冗長ビットのパターン)のデータを出力する。例えば、送信TU数毎にRVが異なるRVパターン(RV order)を用いる場合、受信側（ここでは端末２００）では、複数TUのデータを合成することで符号化利得が向上でき、受信品質が向上できる。また、送信TU数毎にRVが同じRV orderを用いる場合、送信処理が簡易化できるため、データ送信に要する遅延時間を短縮できる。なお、各端末２００、又は、各セルで適用されるRV orderは基地局１００が決定し、上位レイヤ通知等で端末２００に通知することで、基地局１００と端末２００との間で予め認識を合わせてもよい。
【００４２】
データ変調部１０７は、再送制御部１０６から入力されるデータ信号を、スケジューリング部１０１から入力された所定の変調方式で変調し、データ変調信号を無線リソース割当部１０８へ出力する。
【００４３】
無線リソース割当部１０８は、制御信号符号化・変調部１０４及びデータ変調部１０７からそれぞれシンボル列として入力された信号を、スケジューリング部１０１及びレピティション制御部１０３から指示される無線リソースにマッピングし、マッピングされた信号を送信部１０９に出力する。詳細には、無線リソース割当部１０８は、データ信号を、スケジューリング部１０１から入力されるTU(Transmission unit)内の無線リソース割当情報、及び、レピティション制御部１０３から入力されるTU間の無線リソース割当の繰り返しパターンに基づいて、複数TUの無線リソースを割り当てる。
【００４４】
送信部１０９は、無線リソース割当部１０８から入力される信号に対してD/A(Digital-to-Analog)変換、アップコンバート等のRF(Radio Frequency)処理を行い、アンテナ１１０を介して端末２００に無線信号を送信する。
【００４５】
受信部１１１は、アンテナ１１０を介して受信された、端末２００から送信された上りリンクの信号波形に対してダウンコンバート又はA/D変換などのRF処理を行い、RF処理後の受信信号を信号抽出部１１２へ出力する。
【００４６】
信号抽出部１１２は、受信部１１１から入力される受信信号から、下りデータに対する応答信号が含まれる無線リソース部分を抽出し、復調・復号部１１３に出力する。
【００４７】
復調・復号部１１３は、抽出部１１２から入力される応答信号に対して等化、復調及び誤り訂正復号を行い、応答信号に含まれる下りデータのACK/NACK情報を算出し、再送制御部１０６に出力する。
【００４８】
［端末２００の構成］
図７は、本実施の形態に係る下りデータチャネル(PDSCH)を用いる場合の端末２００の構成例を示すブロック図である。
【００４９】
図７に示す端末２００は、アンテナ２０１、受信部２０２、信号抽出部２０３、制御信号復調・復号部２０４、レピティション制御部２０５、データ復調部２０６、データ合成復号部２０７、誤り検出部２０８、応答信号生成部２０９、符号化・変調部２１０、無線リソース割当部２１１、送信部２１２を含む。
【００５０】
受信部２０２は、基地局１００から送信された制御信号及びデータ信号をアンテナ２０１を介して受信し、無線受信信号に対してダウンコンバート又はA/D変換などのRF処理を行い、RF処理後のベースバンドの受信信号を信号抽出部２０３へ出力する。
【００５１】
信号抽出部２０３は、受信部２０２から入力されたベースバンドの受信信号から制御信号が含まれる信号部分を抽出し、制御信号復調・復号部２０４へ出力する。また、信号抽出部２０３は、制御信号復調・復号部２０４から入力されるTU内の無線リソース割当情報、及び、レピティション制御部２０５から入力されるTU間の無線リソース割当の繰り返しパターンに基づいて、ベースバンドの受信信号から、下りデータチャネルが含まれる信号部分を抽出し、データ復調部２０６へ出力する。
【００５２】
制御信号復調・復号部２０４は、信号抽出部２０３から入力される制御信号をブラインド復号して、自端末宛の制御信号であると判断した場合、下りデータチャネルのTU内の無線リソース割当情報を含む制御情報(DCI)を、信号抽出部２０３、データ復調部２０６及びレピティション制御部２０５へ出力する。
【００５３】
レピティション制御部２０５は、基地局１００が具備するレピティション制御部１０３と同様の処理を行う。つまり、レピティション制御部２０５は、制御信号復調・復号部２０４から入力される制御情報(DCI)を用いて、所定のルールに基づいて、端末２００に対するTU間のデータ信号用無線リソース割当の繰り返しパターンを決定する。レピティション制御部２０５は、決定した繰り返しパターンを、信号抽出部２０３及びデータ合成復号部２０７へ出力する。
【００５４】
データ復調部２０６は、制御信号復調・復号部２０４から入力される無線リソース割当情報に基づいて、信号抽出部２０３から入力される下りデータチャネルを復調し、復調後の下りデータチャネルをデータ合成復号部２０７へ出力する。
【００５５】
データ合成復号部２０７は、データ復調部２０６から入力されるデータについて、複数TU間の繰り返しデータを合成し、合成後のデータを復号し、復号後の下りリンクデータを誤り検出部２０８へ出力する。ここで、データの合成時には、データ合成復号部２０７は、レピティション制御部２０５から入力されるRV order（TU毎のRVのパターン）を考慮して合成することで符号化利得が得られる。また、再送データの場合、データ合成復号部２０７は、前回送信時のデータを含めて合成することで、受信品質を向上できる。
【００５６】
誤り検出部２０８は、データ復号部２０７から入力されるデータに対してCRCによる誤り検出を行い、ACK（誤り無し）又はNACK（誤り有り）のいずれかを判定し、判定結果を応答信号生成部２０９へ出力する。また、誤り検出部２０８は、データに誤りが無い場合は受信データを取得する。
【００５７】
応答信号生成部２０９は、誤り検出部２０８から入力される誤り検出結果(ACK又はNACK)に基づいて、受信した下りチャネルデータに対する応答信号（ビット系列）を生成し、符号化・変調部２１０へ出力する。
【００５８】
符号化・変調部２１０は、応答信号生成部２０９から入力されるビット系列に対して、誤り訂正符号化・変調し、シンボル列を無線リソース割当部２１１へ出力する。
【００５９】
無線リソース割当部２１１は、符号化・変調部２１０からシンボル列として入力された信号を、所定の無線リソースにマッピングし、マッピングされた信号を送信部２１２に出力する。
【００６０】
送信部２１２は、無線リソース割当部２１１から入力される信号に対してD/A変換及びアップコンバート等のRF処理を行い、アンテナ２０１を介して基地局１００に無線信号を送信する。
【００６１】
［基地局３００の構成］
図８は、本実施の形態に係る上りデータチャネル(PUSCH)を用いる場合の基地局３００の構成例を示すブロック図である。
【００６２】
図８に示す基地局３００は、スケジューリング部３０１、制御信号生成部３０２、レピティション制御部３０３、制御信号符号化・変調部３０４、無線リソース割当部３０５、送信部３０６、アンテナ３０７、受信部３０８、信号抽出部３０９、データ復調部３１０、データ合成復号部３１１、誤り検出部３１２を含む。
【００６３】
スケジューリング部３０１、制御信号生成部３０２、レピティション制御部３０３、制御信号符号化・変調部３０４、送信部３０６、受信部３０８は、図６に示す基地局１００のスケジューリング部１０１、制御信号生成部１０２、レピティション制御部１０３、制御信号符号化・変調部１０４、送信部１０９、受信部１１１と同様の動作を行う。
【００６４】
すなわち、スケジューリング部３０１は、端末４００に対する、制御信号及び上りデータチャネル(PUSCHとも呼ばれる)の所定のTU内の無線リソース割当情報を決定し、決定した無線リソース割当情報を、制御信号生成部３０２、信号抽出部３０９、データ復調部３１０へ出力する。また、スケジューリング部３０１は、誤り検出部３１２から入力される、前回送信データの判定結果がNACKの場合、上りデータチャネルの再送データを優先的にスケジューリングする。
【００６５】
制御信号生成部３０２は、スケジューリング部３０１から入力される無線リソース割当情報を用いて、所定サイズのフォーマットで構成される制御情報ビット列を用いて制御情報(DCI)を生成し、レピティション制御部３０３及び制御信号符号化・変調部３０４へ出力する。
【００６６】
レピティション制御部３０３は、制御信号生成部３０２から入力される制御情報(DCI)を用いて、所定のルールに基づいて、端末４００に対するTU当たりのデータ信号用無線リソース割当の繰り返しパターンを決定する。レピティション制御部３０３は、決定した繰り返しパターンを、信号抽出部３０９及びデータ合成復号部３１１へ出力する。
【００６７】
制御信号符号化・変調部３０４は、制御信号生成部から入力されるビット列を変調及び符号化して、得られたシンボル列を無線リソース割当部３０５へ出力する。
【００６８】
無線リソース割当部３０５は、制御信号符号化・変調部３０４からシンボル列として入力された信号を、所定の無線リソースにマッピングし、マッピングされた信号を送信部３０６に出力する。
【００６９】
送信部３０６は、無線リソース割当部３０５から入力される信号に対して、D/A (Digital-to-Analog)変換、アップコンバート等のRF (Radio Frequency)処理を行い、アンテナ３０７を介して端末４００に無線信号を送信する。
【００７０】
受信部３０８は、アンテナ３０７を介して受信された、端末４００から送信され上りリンクの信号波形に対してダウンコンバート又はA/D変換などのRF処理を行い、RF処理後の受信信号を信号抽出部３０９へ出力する。
【００７１】
信号抽出部３０９、データ復調部３１０、データ合成復号部３１１、誤り検出部３１２は、図７に示す端末２００の信号抽出部２０３、データ復調部２０６、データ合成復号部２０７、誤り検出部２０８と同様の動作を行う。
【００７２】
すなわち、信号抽出部３０９は、スケジューリング部３０１から入力されるTU内の無線リソース割当情報、及び、レピティション制御部３０３から入力されるTU間の無線リソース割当の繰り返しパターンに基づいて、ベースバンドの受信信号から、上りデータチャネルが含まれる信号部分を抽出し、データ復調部３１０へ出力する。
【００７３】
データ復調部３１０は、スケジューリング部３０１から入力される無線リソース割当情報に基づいて、信号抽出部３０９から入力される上りデータチャネルを復調し、復調後の上りデータチャネルをデータ合成復号部３１１へ出力する。
【００７４】
データ合成復号部３１１は、データ復調部３１０から入力されるデータについて、複数TU間の繰り返しデータを合成し、合成後のデータを復号し、復号後の下りリンクデータを誤り検出部３１２へ出力する。ここで合成時には、データ合成復号部３１１は、レピティション制御部３０３から入力されるRV order（TU毎のRVのパターン）を考慮して合成することで符号化利得が得られる。また、データ合成復号部３１１は、再送データの場合、前回送信時のデータを含めて合成することで受信品質を向上できる。
【００７５】
誤り検出部３１２は、データ合成復号部３１１から入力されるデータに対してCRCによる誤り検出を行い、ACK又はNACKのいずれかを判定し、判定結果をスケジューリング部３０１へ出力する。また、誤り検出部３１２は、誤りが無い場合は受信データを取得する。
【００７６】
［端末４００の構成］
図９は、本実施の形態に係る上りデータチャネル(PUSCH)を用いる場合の端末４００の構成例を示すブロック図である。
【００７７】
図９に示す端末４００は、アンテナ４０１、受信部４０２、信号抽出部４０３、制御信号復調・復号部４０４、レピティション制御部４０５、データ符号化部４０６、再送制御部４０７、データ変調部４０８、無線リソース割当部４０９、送信部４１０を含む。
【００７８】
なお、受信部４０２、信号抽出部４０３、制御信号復調・復号部４０４、レピティション制御部４０５は、図７に示す端末２００の受信部２０２、信号抽出部２０３、制御信号復調・復号部２０４、レピティション制御部２０５と同様の動作を行う。
【００７９】
すなわち、受信部４０２は、基地局３００から送信された制御信号及びデータ信号をアンテナ４０１を介して受信し、無線受信信号に対してダウンコンバート又はA/D変換などのRF処理を行い、RF処理後のベースバンドの受信信号を信号抽出部４０３へ出力する。
【００８０】
信号抽出部４０３は、受信部４０２から入力されたベースバンドの受信信号から、制御信号が含まれる信号部分を抽出し、制御信号復調・復号部４０４へ出力する。
【００８１】
制御信号復調・復号部４０４は、信号抽出部４０３から入力された制御信号をブラインド復号して、自端末宛の制御信号であると判断した場合、上りデータチャネルのTU内の無線リソース割当情報を含む制御情報(DCI)をデータ符号化部４０６、データ変調部４０８及びレピティション制御部４０５、無線リソース割当部４０９へ出力する。
【００８２】
レピティション制御部４０５は、制御信号復調・復号部４０４から入力される制御情報(DCI)を用いて、所定のルールに基づいて、端末４００に対するTU間のデータ信号用無線リソース割当の繰り返しパターンを決定する。レピティション制御部４０５は、決定した繰り返しパターンを、再送制御部４０７及び無線リソース割当部４０９へ出力する。
【００８３】
データ符号化部４０６、再送制御部４０７、データ変調部４０８、無線リソース割当部４０９、送信部４１０は、図６に示す基地局１００のデータ符号化部１０５、再送制御部１０６、データ変調部１０７、無線リソース割当部１０８、送信部１０９と同様の動作を行う。
【００８４】
すなわち、データ符号化部４０６は、制御信号復調・復号部４０４から入力される制御情報(DCI)に含まれる符号化方式に従って、送信データに対して誤り訂正符号化を施し、符号化後のデータ信号を再送制御部４０７へ出力する。
【００８５】
再送制御部４０７は、初回（新規）送信時には、データ符号化部４０６から入力される符号化後のデータ信号を保持するとともに、データ変調部４０８へ出力する。また、再送制御部４０７は、再送時には、保持した初回送信時のデータをデータ変調部４０８へ出力する。ここで、再送制御部４０７は、再送時にデータ変調部４０８へ出力する符号化後のデータとして、送信TU数に応じたRVのデータを出力する。
【００８６】
データ変調部４０８は、再送制御部４０７から入力されるデータ信号を、制御信号復調・復号部４０４からの制御情報(DCI)で指示された所定の変調方式で変調し、データ変調信号を無線リソース割当部４０９へ出力する。
【００８７】
無線リソース割当部４０９は、データ変調部４０８からシンボル列として入力された信号を、制御信号復調・復号部４０４からの制御情報(DCI)によって指示されたTU内の無線リソース割当情報、及び、レピティション制御部４０５から指示されたTU間の無線リソース割当の繰り返しパターンに基づいて、複数TUの無線リソースを割り当てる。無線リソース割当部４０９は、無線リソースにマッピングされた信号を送信部４１０に出力する。
【００８８】
送信部４１０は、無線リソース割当部４０９から入力される信号に対してD/A(Digital-to-Analog)変換、アップコンバート等のRF(Radio Frequency)処理を行い、アンテナ４０１を介して基地局３００に無線信号を送信する。
【００８９】
［基地局及び端末の動作］
以上の構成を有する基地局１００，３００及び端末２００，４００の動作について詳細に説明する。
【００９０】
図１０は基地局１００（図６）及び端末２００（図７）の動作（下りデータチャネルを用いる場合の動作）を示すシーケンス図である。
【００９１】
基地局１００は、端末２００に対する下りリンクリソースに関する無線リソース割当情報を決定し、DCIを生成する（ＳＴ１０１）。そして、基地局１００は、ＳＴ１０１で生成したDCIに含まれる無線リソース割当情報に基づいて、端末２００に対するデータ（下りデータチャネル）の繰り返しパターン（つまり、TU間のデータ信号用無線リソースの繰り返しパターン）を決定する（ＳＴ１０２）。
【００９２】
次に、基地局１００は、ＳＴ１０１で生成したDCIを含むPDCCHを端末２００へ送信する（ＳＴ１０３）。端末２００は、PDCCHを受信すると、PDCCHに含まれるDCIに示される無線リソース割当情報に基づいて、ＳＴ１０２と同様にして、端末２００に対するデータの繰り返しパターン（つまり、TU間のデータ信号用無線リソースの繰り返しパターン）を決定する（ＳＴ１０４）。
【００９３】
そして、基地局１００は、ＳＴ１０１で決定した無線リソース割当情報及びＳＴ１０２で決定した繰り返しパターンに基づいて、データ（PDSCH）を繰り返し送信する（ＳＴ１０５）。端末２００は、ＳＴ１０５において、ＳＴ１０３で取得した無線リソース割当情報及びＳＴ１０４で決定した繰り返しパターンに基づいて、データ（PDSCH）を受信すると、繰り返し送信されたデータを合成し、復号する（ＳＴ１０６）。
【００９４】
図１１は基地局３００（図８）及び端末４００（図９）の動作（上りデータチャネルを用いる場合の動作）を示すシーケンス図である。
【００９５】
基地局３００は、端末４００に対する上りリンクリソースに関する無線リソース割当情報を決定し、DCIを生成する（ＳＴ２０１）。そして、基地局３００は、ＳＴ２０１で生成したDCIに含まれる無線リソース割当情報に基づいて、端末４００に対するデータ（上りデータチャネル）の繰り返しパターン（つまり、TU間のデータ信号用無線リソースの繰り返しパターン）を決定する（ＳＴ２０２）。
【００９６】
次に、基地局３００は、ＳＴ２０１で生成したDCIを含むPDCCHを端末４００へ送信する（ＳＴ２０３）。端末４００は、PDCCHを受信すると、PDCCHに含まれるDCIに示される無線リソース割当情報に基づいて、ＳＴ２０２と同様にして、端末４００に対するデータの繰り返しパターン（つまり、TU間のデータ信号用無線リソースの繰り返しパターン）を決定する（ＳＴ２０４）。
【００９７】
そして、端末４００は、ＳＴ２０３で取得した無線リソース割当情報及びＳＴ２０４で決定した繰り返しパターンに基づいて、データ（PUSCH）を繰り返し送信する（ＳＴ２０５）。基地局３００は、ＳＴ２０５において、ＳＴ２０１で決定した無線リソース割当情報及びＳＴ２０２で決定した繰り返しパターンに基づいて、データ（PUSCH）を受信すると、繰り返し送信されたデータを合成し、復号する（ＳＴ２０６）。
【００９８】
このように、繰り返しパターンは、DCIによって端末２００，４００に通知される制御情報（無線リソース割当情報）に対応付けて通知される。
【００９９】
［レピティション制御方法］
次に、基地局１００，３００及び端末２００，４００におけるレピティション制御部１０３，２０５，３０３，４０５による、TU間のデータ信号用無線リソース割当の繰り返しパターンの決定方法についてより詳細に説明する。
【０１００】
＜DCIによって通知される制御情報＞
以下の説明では、一例として、基地局１００，３００及び端末２００，４００は、下記のDCIによって明示的又は暗示的に通知される制御情報に基づいてTU間のデータ信号用無線リソース割当の繰り返しパターンを決定する。
（１）TU当たりの周波数割当帯域幅
（２）TU当たりの送信シンボル数
（３）サブキャリア間隔(Subcarrier spacing: SCS)
（４）上りチャネル種別(SUL(Supplementary uplink)又は、Non-SULの何れか)
【０１０１】
NRにおいて、TU当たりの周波数割当帯域幅（詳細には、Frequency domain resource assignment)、TU当たりの送信シンボル数（詳細には、Time domain resource assignment)、上りチャネル種別（詳細には、UL/SUL indicator）は、DCIによって明示的（explicit）に通知されるパラメータである（例えば、非特許文献３を参照）。
【０１０２】
一方、サブキャリア間隔（SCS）は、DCIに含まれるBWP割当情報（Bandwidth part indicator）から設定されるパラメータである。データに用いられるSCSは、BWP毎に予め設定されている。よって、端末２００，４００は、DCIで指示されたBWPに基づいて、使用するSCSを暗示的に把握できる。すなわち、SCSは、DCIによって暗示的（implicit）に通知されるパラメータであると云える。
【０１０３】
このように、TU当たりの周波数割当帯域幅、TU当たりの送信シンボル数、SCS、上りチャネル種別は何れもDCIによって明示的に又は暗示的に端末２００，４００へ通知されるパラメータである。すなわち、端末２００，４００は、DCIを受信することにより、これらのパラメータに対応付けられた繰り返しパターンを動的に変更できる。
【０１０４】
＜繰り返しパターン＞
以下の説明では、一例として、レピティション制御部１０３，２０５，３０３，４０５において決定される繰り返しパターンは、下記の何れかの情報を含む。
（１）時間リソースの繰り返し数
（２）周波数リソースの繰り返し数（所定の周波数間隔と繰り返し数を含む)
（３）送信時間間隔あるいは未送信区間
（４）RV order (送信TU毎のRVパターン)
【０１０５】
ここで、図１２Ａ及び図１２Ｂを用いて、時間リソースの繰り返し数、送信時間間隔あるいは未送信区間について説明する。
【０１０６】
図１２Ａ及び図１２Ｂに示すように、時間リソースの繰り返し数は、TU単位の繰り返し数を示す。また、送信時間間隔あるいは未送信区間も同様にTU単位の時間を示す。図１２Ａは、時間リソースの繰り返し数=4[TU]、送信時間間隔=0[TU]の例を示す。また、図１２Ｂは、時間リソースの繰り返し数=4[TU]、送信時間間隔=1[TU]の例を示す。図１２Ｂには未送信区間があるのに対して、図１２Ａには未送信区間が無いので、図１２Ａは、図１２Ｂと比較して遅延を低減できる。一方、図１２Ｂでは、未送信区間において受信側からフィードバック情報を得ることで、それ以降のデータ送信への無線リソースを効率的に割り当てることができる。
【０１０７】
次に、図１３を用いて、周波数リソースの繰り返し数について説明する。
【０１０８】
図１３において、DCIで割り当てられたTU当たりの周波数割当帯域をPRB#1〜PRB#3とした場合、所定の周波数オフセット(図１３ではX[PRB])を加えた周波数リソースPRB#（X+1）〜PRB#(X+3)においてデータの割り当てを繰り返す。周波数領域の繰り返し数が増える場合、さらに、周波数オフセットを加えた周波数リソースPRB#(2X+1)〜PRB#(2X+3)においてデータの割り当てを繰り返す。受信側では、このように繰り返し割り当てられた帯域のデータを合成することで周波数ダイバーシチ利得を得ることができる。
【０１０９】
次に、RV orderについて説明する。
【０１１０】
RV orderは、所定のTU数の送信順に適用するRVパターンを示す。例えば、RVパターンが0〜3まであり、送信TU数=4までのRV orderを定義する場合、｛Tｘ1, Tx2, Tx3, Tx4｝=｛0, 0, 0, 0｝、{0, 2, 3, 1}のように定義する。｛0, 0, 0, 0｝のRV orderを用いると、送信回数によらず同じ冗長ビットが送信されるため、送受信処理を簡易化でき、遅延を低減できるが、合成後の符号化利得は小さい。一方、｛0, 2, 3, 1｝のRV orderを用いると、送信回数に応じて異なる冗長ビットがそれぞれ送信されるため、合成後の符号化利得を向上できるが、送受信処理が複雑になるため遅延が増加する可能性がある。
【０１１１】
なお、RV orderは、｛0, 0, 0, 0｝、{0, 2, 3, 1}に限らず、他のパターンでもよい。
【０１１２】
＜繰り返しパターンの決定方法＞
次に、繰り返しパターンの決定方法の具体例について説明する。
【０１１３】
（具体例１：周波数割当帯域幅ベース）
具体例１では、TU当たりの周波数割当帯域幅に応じて繰り返しパターンが決定される。
【０１１４】
パケットサイズ(Payload size)が同一であれば、周波数割当帯域幅が狭いほど、符号化率が上がり、受信品質が低下することが想定される。そこで、具体例１では、周波数割当帯域幅が狭いほど、時間リソース（又は周波数リソース）の繰り返し数を多くする。
【０１１５】
例えば、図１４に示すように、TU当たりの周波数割当帯域幅（PRB数）が所定の帯域幅(X[PRB])より大きい場合は繰り返し数が2に設定される。一方、TU当たりの周波数割当帯域幅が所定の帯域幅(X[PRB])以下の場合は繰り返し数が4に設定される。すなわち、TU当たりの周波数割当帯域幅が所定の帯域幅X以下の場合には、レピティションによる合成利得により受信品質を向上させるために、TU当たりの周波数割当帯域幅が所定の帯域幅Xより大きい場合の繰り返し回数（2）よりも多い繰り返し数（4）が設定される。
【０１１６】
これにより、レピティション制御部１０３，２０５，３０３，４０５は、端末２００，４００に設定される周波数割当帯域幅に応じて、繰り返しパターンを動的に設定でき、受信品質の劣化を防止できる。
【０１１７】
また、繰り返しパターンは、DCIに含まれる周波数割当帯域幅に基づいて一意に導出される。つまり、繰り返しパターンは、周波数割当帯域幅の通知によって暗示的に端末２００，４００へ通知される。これにより、繰り返しパターンに対する明示的な通知が不要になるので、DCIサイズの増加を防止できる。
【０１１８】
なお、図１４に示す周波数割当帯域幅と繰り返しパターン（繰り返し数）との対応関係は一例であって、これに限らない。例えば、所定の閾値（図１４ではX）は１つに限らず、複数設定されてもよく、繰り返し数は、周波数割当帯域幅が狭いほど、大きい値に設定されればよい。また、繰り返し数は、2又は4に限らず、他の値でもよい。
【０１１９】
（具体例２：送信シンボル数ベース）
具体例２では、TU当たりの送信シンボル数に応じて繰り返しパターンが決定される。
【０１２０】
具体例１と同様に、パケットサイズ(Payload size)が同一であれば、送信シンボル数が少ないほど符号化率が上がり、受信品質が低下することが想定される。そこで、具体例２では、送信シンボル数が少ないほど、時間リソース（又は周波数リソース）の繰り返し数を多くする。
【０１２１】
例えば、図１５に示すように、TU当たりの送信シンボル数が所定のシンボル数(X[symbol])より多い場合は繰り返し数が2に設定される。一方、TU当たりの送信シンボル数が所定の送信シンボル数(X[symbol])以下の場合は繰り返し数が4に設定される。すなわち、TU当たりの送信シンボル数が所定のシンボル数X以下の場合には、レピティションによる合成利得により受信品質を向上させるために、TU当たりの送信シンボル数が所定のシンボル数より大きい場合の繰り返し数（2）よりも多い繰り返し数（4）が設定される。
【０１２２】
これにより、レピティション制御部１０３，２０５，３０３，４０５は、端末２００，４００に設定される送信シンボル数に応じて、繰り返しパターンを動的に設定でき、受信品質の劣化を防止できる。
【０１２３】
また、繰り返しパターンは、DCIに含まれる送信シンボル数に基づいて一意に導出される。つまり、繰り返しパターンは、送信シンボル数の通知によって暗示的に端末２００，４００へ通知される。これにより、繰り返しパターンに対する明示的な通知が不要になるので、DCIサイズの増加を防止できる。
【０１２４】
なお、図１５に示す送信シンボル数と繰り返しパターン（繰り返し数）との対応関係は一例であって、これに限らない。例えば、所定の閾値（図１５ではX）は１つに限らず、複数設定されてもよく、繰り返し数は、送信シンボル数が少ないほど、大きい値に設定されればよい。また、繰り返し数は、2又は4に限らず、他の値でもよい。
【０１２５】
（具体例３：サブキャリア間隔（SCS）ベース）
具体例３では、データチャネルに使用されるSCSに応じて繰り返しパターンが決定される。
【０１２６】
図１６に示すように、SCSが広いほど、1symbol長が短くなる（TU長が短くなる)。このため、SCSが広いほど、遅延時間を増加させることなく、繰り返し数又は送信時間間隔を増加させることができる。
【０１２７】
そこで、具体例３では、例えば、図１７に示すように、SCS=30kHz, 60kHzの場合の送信間隔を、SCS=15kHzの場合の送信間隔より長くする。具体的には、SCS=30kHz, 60kHzの場合の送信間隔を1[TU]とし、SCS=15kHzの場合の送信間隔を0[TU]とする。すなわち、図１６に示すように、SCS=15kHzの場合にはデータは連続するTUで送信され、SCS=30kHz、60kHzの場合にはデータは未送信区間（1TU）を空けた非連続のTUで送信される。
【０１２８】
よって、送信側は、SCS=30kHz, 60kHzの場合、未送信区間において受信側からフィードバック情報を得ることができ、それ以降の送信を効率的に行うことができる。
【０１２９】
また、図１７に示すように、SCS= 60kHzの場合の繰り返し数を、SCS=15, 30kHzの場合の繰り返し数より多くしてもよい。具体的には、SCS=60kHzの場合の繰り返し数を4[TU]とし、SCS=15kHz、30kHzの場合の繰り返し数を2[TU]とする。これにより、SCS=60kHzの場合は、より大きな合成利得が得られる。
【０１３０】
なお、図１６に示すように、SCSが広いほど1symbol長が短くなるので、SCSが広いほど、送信間隔を長くし、又は繰り返し数を多くしても、繰り返し送信されるデータの遅延時間は増加しない。
【０１３１】
また、SCSが広いほど、送信時間間隔(TU数)はより長く設定されてもよい。例えば、図１８に示すように、SCSが広いほど、送信時間間隔が長くなるように定義してもよい。これにより、図１９に示すように、SCSが広いほど（すなわち、1symbol長が短いほど）、より多くの未送信区間を確保でき、送信側は、受信側からのフィードバック情報を確実に受信し、処理することができる。すなわち、フィードバック情報を受信するために適切なタイミングがSCS毎に設定できる。
【０１３２】
これにより、レピティション制御部１０３，２０５，３０３，４０５は、端末２００，４００に設定されるSCSに応じて、繰り返しパターンを動的に設定でき、受信品質の劣化を防止できる。
【０１３３】
また、繰り返しパターンは、DCIに含まれるBWP情報から暗示的に算出されるSCSに基づいて一意に導出される。つまり、繰り返しパターンは、BWP情報に基づくSCSの通知によって暗示的に端末２００，４００へ通知される。これにより、繰り返しパターンに対する明示的な通知が不要になるので、DCIサイズの増加を防止できる。
【０１３４】
また、他の例として、繰り返し数に応じて、RV orderが設定されてもよい。
【０１３５】
例えば、図２０に示すように、SCS=15kHz, 30kHzでは、繰り返し数=2TUが設定されるので、2TU数分の送信に用いるRV order ={0, 3}が設定される。一方、SCS=60kHzでは、繰り返し数=4TUが設定されるので、4TU数分の送信に用いるRV order ={0, 2, 3, 1}が設定される。すなわち、各SCSにおけるRV orderに含まれるRV数は、SCS毎に設定される繰り返し数と同数である。これにより、SCSに応じた繰り返し数とRV orderとを設定でき、受信品質の劣化を防止できる。また、上述したように、繰り返し数及びRV orderは、DCIによって暗示的に通知されるSCSに基づいて一意に導出されるので、DCIサイズの増加を防止できる。
【０１３６】
また、繰り返し数がSCSに依らず一定の場合でも、データチャネルに使用されるSCSに応じて、RV orderが設定されてもよい。
【０１３７】
例えば、図２１に示すように、SCSが広いほど、1symbol長が短くなるため、次の送信までの処理時間が短くなる。そこで、例えば、図２２に示すように、SCSが広いほど、RVのパターンの変化が少ないRV orderが設定される。
【０１３８】
具体的には、SCS=15kHzではTU当たりの時間が長く、処理時間に余裕があるため、TU毎にRVパターンが異なるRV order ={0, 2, 3, 1}が設定される。これにより、符号化利得が得られる。
【０１３９】
一方、SCS=60kHzではTU当たりの時間が短く、処理時間に余裕がないため、TU毎にRVパターンが同じRV order ={0, 0, 0, 0}（つまり、RVパターンが変化しないRV order）が設定される。これにより、遅延の増加を防止できる。
【０１４０】
また、SCS=30kHzでは、SCS=15kHzと比較してTU当たりの時間が短いため、SCS=15kHzの場合のRV orderよりもRVパターンの変化が少ないRV order ={0, 3, 0, 3}が設定される。換言すると、SCS=30kHzでは、SCS=60kHzと比較してTU当たりの時間が長いため、SCS=60kHzの場合のRV orderよりもRVパターンの変化が大きいRV order ={0, 3, 0, 3}が設定される。
【０１４１】
これにより、SCSに応じたRV orderが設定できるため、遅延増加及び受信品質の劣化を防止できる。また、RV orderは、DCIに含まれるBWP情報から暗示的に算出されるSCSに基づいて一意に導出される。つまり、RV orderは、SCSの通知によって暗示的に端末２００，４００へ通知される。これにより、RV orderに対する明示的な通知が不要になるので、DCIサイズの増加を防止できる。
【０１４２】
なお、図１６〜図２２に示すSCSと繰り返しパターン（繰り返し数、送信間隔、RV order）との対応関係は一例であって、これに限らない。例えば、SCSの値は、15kHz、30kHz、60kHzに限らず、他の値（例えば、120kHz、240kHz）でもよい。また、SCSに対応付けられる繰り返しパターンは、繰り返し数、送信時間間隔及びRV orderのうちの少なくとも１つであればよい。また、繰り返し数、送信間隔及びRV orderの値は、図１６〜図２２に示す値に限定されず、他の値でもよい。また、例えば、図１７、図１８において、SCSと対応付けられる繰り返しパターンは、繰り返し数及び送信時間間隔のうちの何れか一方でもよい。
【０１４３】
（具体例４：上りチャネル種別ベース）
具体例４では、上りチャネル種別、詳細には割り当てられた上りチャネルがSULか否かに応じて繰り返しパターンが設定される。
【０１４４】
NRでは、LTEとNRとをサポートする端末が、NRの上り送信において、LTEの周波数帯域を補助的に用いることが規定されている。このNRの上り送信において、補助的に割り当てられる帯域を「SUL（Supplementary uplink）」と呼ぶ。
【０１４５】
LTE用の帯域を用いるSULは、NR用の帯域を用いるNon-SULと比較してキャリア周波数が低いことが想定される。キャリア周波数が低いほど、パスロスが小さいため、SULの方がNon-SULよりもより高い受信品質が期待できる。
【０１４６】
そこで、具体例４では、例えば、図２３に示すように、端末２００，４００に割り当てられた上りチャネル種別がSULの場合には繰り返し数は2に設定され、端末２００，４００に割り当てられた上りチャネル種別がnon-SULの場合には繰り返し数は4に設定される。すなわち、上りチャネル種別がnon-SULの場合には、レピティションによる合成利得により受信品質を向上させるために、上りチャネル種別がSULの場合の繰り返し数（2）よりも多い繰り返し数（4）が設定される。
【０１４７】
これにより、レピティション制御部１０３，２０５，３０３，４０５は、端末２００，４００に設定される上りチャネル種別に応じて、繰り返しパターンを動的に設定でき、受信品質の劣化を防止できる。
【０１４８】
また、繰り返しパターンは、DCIに含まれる上りチャネル種別に基づいて一意に導出される。つまり、繰り返しパターンは、上りチャネル種別の通知によって暗示的に端末２００，４００へ通知される。これにより、繰り返しパターンに対する明示的な通知が不要になるので、DCIサイズの増加を防止できる。
【０１４９】
なお、図２３に示す上りチャネル種別と繰り返しパターン（繰り返し数）との対応関係は一例であって、これに限らない。すなわち、繰り返し数は、2又は4に限らず、他の値でもよい。
【０１５０】
以上、具体例１−４についてそれぞれ説明した。
【０１５１】
このように、本実施の形態では、繰り返しパターンは、DCI（ダイナミックシグナリング）によって端末２００，４００に明示的に又は暗示的に通知される制御情報に対応付けられている。これにより、基地局１００，３００は、DCIの通知によって、端末２００，４００に対する繰り返しパターンを動的に制御することができる。すなわち、端末２００，４００は、基地局１００，３００からのDCIの通知によって、端末２００，４００に対する繰り返しパターンを動的に変更することができる。
【０１５２】
また、繰り返しパターンは、繰り返しパターン以外の他のパラメータ（例えば、無線リソース割当情報）によって暗示的に端末２００，４００へ通知される。これにより、繰り返しパターンの動的制御の際に、繰り返しパターンの通知のための明示的なシグナリングは不要となる。
【０１５３】
以上のように、本実施の形態によれば、適切に、レピティション送信方法を動的に変更することができ、システム性能を向上できる。
【０１５４】
以上、本開示の実施の形態について説明した。
【０１５５】
（１）なお、本開示の用途は、URLLCに限定されない。例えば、mMTCにおけるカバレッジ性能向上を目的としたレピティション送信にも本開示の一態様を適用でき、同様の効果を得ることができる。
【０１５６】
（２）また、上記実施の形態では、DCIによって、TU間のデータ信号用無線リソース割当の繰り返しパターンを暗示的に通知する場合について説明したが、これに限定されない。例えば、繰り返しパターンの指示に用いるDCI情報を追加し、上記実施の形態における例と組み合わせてもよい。例えば、図２４に示すように、繰り返しパターンを指示する１ビットの情報をDCIに含めて、繰り返し数が決定されてもよい。具体的には、図２４では、具体例１（図１４）と同様に周波数割当帯域幅に応じて繰り返しパターン（繰り返し数）の候補（1, 4）又は（2, 8）が決定され、決定された候補の中から、DCIに含まれる１ビットの情報に応じて繰り返し数が決定される。
【０１５７】
これにより、DCIサイズがわずかに増加（1ビット増加）するものの、端末２００の無線チャネル状況に応じたより適切な繰り返しパターンを設定できる。
【０１５８】
なお、図２４は一例であって、１ビットのDCI情報と組み合わせて、繰り返しパターンを決定するためのパラメータは、周波数割当帯域幅に限らず、他のパラメータ（送信シンボル数、SCS、上りチャネル種別）でもよい。また、繰り返しパターンは、繰り返し数に限らず、他の値（送信間隔、RV order）でもよい。
【０１５９】
（３）また、DCIによって明示的又は暗示的に通知されるパラメータ（制御情報）に基づいて、TU間のデータ信号用無線リソース割当の繰り返しパターンの候補が決定され、実際に適用する繰り返しパターンは候補の中からDCI情報によって通知されてもよい。
【０１６０】
例えば、図２５に示すように、上りチャネル種別がSULの場合、繰り返しパターン（繰り返し数）の候補を{1,2,4,8}とし、Non-SULの場合、繰り返しパターン（繰り返し数）の候補を{1,4,16,32}とする。上述したように、Non-SULは、SULよりも高いキャリア周波数を用いることが想定されるため、SULより大きい繰り返し数を設定可能とする。
【０１６１】
そして、図２５の場合、繰り返しパターンの通知のために、DCIに2ビットを追加することで、基地局１００，３００は、候補の中から、端末２００，４００の無線チャネル状況に応じた最適な繰り返し数を動的に選択できる。これにより、DCIサイズがわずかに増加（２ビット増加）するものの、端末２００，４００の無線チャネル状況により応じた適切なレピティションパターンを設定できる。
【０１６２】
なお、図２５は一例であって、繰り返しパターンの候補と対応付けられるパラメータは、上りチャネル種別に限らず、他のパラメータ（周波数割当帯域幅、送信シンボル数、SCS）でもよい。また、繰り返しパターンは、繰り返し数に限らず、他の値（送信間隔、RV order）でもよい。
【０１６３】
（４）上記実施の形態において説明した、DCIによって明示的又は暗示的に通知される制御情報と、TU間のデータ信号用無線リソース割当の繰り返しパターンとの関係（図１４、図１５、図１７、図１８、図２０、図２２−図２５)は、端末２００，４００毎に基地局１００，３００が上位レイヤ通知で設定してもよい。これにより、端末２００，４００毎に適した繰り返しパターンが設定できる。また、上記パラメータと繰り返しパターンとの関係は、セル毎又はスペックによって規定されてもよい。これにより、上位レイヤ通知のオーバーヘッドが低減できる。
【０１６４】
（５）また、端末２００，４００が使用するデータ波形(waveform)の種別に応じて、TU間のデータ信号用無線リソース割当の繰り返しパターンが決定されてもよい。データ波形がDFT-S-OFDMの場合は、PAPR（Peak to Average Power Ratio）が低い利点があるが、データ波形がOFDMの場合と比較して受信性能が劣化する特徴がある。そこで、DFT-S-OFDMの場合の繰り返し数を、OFDMの場合の繰り返し数より多く設定することで、DFT-S-OFDMの場合の受信品質の劣化が防止できる。
【０１６５】
また、端末２００，４００が使用するCP(Cyclic Prefix)種別に応じて、TU間のデータ信号用無線リソース割当の繰り返しパターンが決定されてもよい。ECP(Extended CP)を用いるセルは、NCP(Normal CP)を用いるセルと比較して、セル半径が広いことが想定される。よって、CP種別がECPの場合の繰り返し数を、CP種別がNCPの場合の繰り返し数より多く設定することで、ECPを用いる場合の受信品質の劣化が防止できる。
【０１６６】
なお、データ波形の種別又はCP種別は、DCIによって通知されてもよい。
【０１６７】
（６）図１４、図１５、図１７、図１８、図２０、図２２−図２５に示す、DCIによって明示的又は暗示的に通知される制御情報（例えば、TU当たりの周波数割当帯域幅、TU当たりの送信シンボル数、SCS、上りチャネル種別）と、TU間のデータ信号用無線リソース割当の繰り返しパターン（例えば、時間リソースの繰り返し数、周波数リソースの繰り返し数、送信時間間隔、RV order）との関係は、一例である。図１４、図１５、図１７、図１８、図２０、図２２−図２５に示す対応関係の何れかを組み合わせてもよい。
【０１６８】
（７）本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６９】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０１７０】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０１７１】
通信には、セルラーシステム、無線ＬＡＮシステム、通信衛星システム等によるデータ通信に加え、これらの組み合わせによるデータ通信も含まれる。
【０１７２】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０１７３】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０１７４】
本開示の送信装置は、端末に対するデータの繰り返しパターンを決定する決定回路と、前記繰り返しパターンに基づいて前記データを繰り返し送信する送信回路と、を具備し、前記繰り返しパターンは、ダイナミックシグナリングによって前記端末に通知される制御情報に対応付けられている。
【０１７５】
本開示の送信装置において、前記繰り返しパターンは、少なくとも、前記データの繰り返し数を含み、前記端末に割り当てられたリソース数が少ないほど、前記繰り返し数は多い。
【０１７６】
本開示の送信装置において、前記端末に割り当てられた帯域幅が狭いほど、前記繰り返し数は多い。
【０１７７】
本開示の送信装置において、前記端末に割り当てられたシンボル数が少ないほど、前記繰り返し数は多い。
【０１７８】
本開示の送信装置において、前記繰り返しパターンは、少なくとも、前記データの繰り返し数を含み、前記端末に設定されたサブキャリア間隔が広いほど、前記繰り返し数は多い。
【０１７９】
本開示の送信装置において、前記繰り返しパターンは、さらに、RVの送信順序を表すRV orderを含み、各サブキャリア間隔における前記RV orderに含まれるRV数は、前記サブキャリア間隔毎に設定される前記繰り返し数と同数である。
【０１８０】
本開示の送信装置において、前記繰り返しパターンは、少なくとも、繰り返し送信される前記データの送信間隔を含み、前記端末に設定されたサブキャリア間隔が広いほど、前記送信間隔は長い。
【０１８１】
本開示の送信装置において、前記繰り返しパターンは、少なくとも、RVの送信順序を表すRV orderを含み、前記端末に設定されたサブキャリア間隔が広いほど、RV orderにおけるRVのパターンの変化が少ない。
【０１８２】
本開示の送信装置において、前記繰り返しパターンは、少なくとも、前記データの繰り返し数を含み、前記繰り返し数は、前記端末に設定された上りチャネル種別がＳＵＬ（Supplementary uplink）である場合よりも、前記上りチャネル種別がｎｏｎ−ＳＵＬである場合の方が多い。
【０１８３】
本開示の受信装置は、端末に対するデータの繰り返しパターンを決定する決定回路と、前記繰り返しパターンに基づいて、繰り返し送信された前記データを受信する受信回路と、繰り返し送信された前記データを合成する復号回路と、を具備し、前記繰り返しパターンは、ダイナミックシグナリングによって前記端末に通知される制御情報に対応付けられている。
【０１８４】
本開示の送信方法は、端末に対するデータの繰り返しパターンを決定し、前記繰り返しパターンに基づいて前記データを繰り返し送信し、前記繰り返しパターンは、ダイナミックシグナリングによって前記端末に通知される制御情報に対応付けられている。
【０１８５】
本開示の受信方法は、端末に対するデータの繰り返しパターンを決定し、前記繰り返しパターンに基づいて、繰り返し送信された前記データを受信し、繰り返し送信された前記データを合成し、前記繰り返しパターンは、ダイナミックシグナリングによって前記端末に通知される制御情報に対応付けられている。
【０１８６】
２０１８年２月１６日出願の特願２０１８−０２５８５７の日本出願に含まれる明細書、図面および要約書の開示内容は、すべて本願に援用される。
【産業上の利用可能性】
【０１８７】
本開示の一態様は、移動通信システムに有用である。
【符号の説明】
【０１８８】
１００，３００  基地局
２００，４００  端末
１０１，３０１  スケジューリング部
１０２，３０２  制御信号生成部
１０３，２０５，３０３，４０５  レピティション制御部
１０４，３０４  制御信号符号化・変調部
１０５，４０６  データ符号化部
１０６，４０７  再送制御部
１０７，４０８  データ変調部
１０８，２１１，３０５，４０９  無線リソース割当部
１０９，２１２，３０６，４１０  送信部
１１０，２０１，３０７，４０１  アンテナ
１１１，２０２，３０８，４０２  受信部
１１２，２０３，３０９，４０３  信号抽出部
１１３  復調・復号部
２０４，４０４  制御信号復調・復号部
２０６，３１０  データ復調部
２０７，３１１  データ合成復号部
２０８，３１２  誤り検出部
２０９  応答信号生成部
２１０  符号化・変調部
【図１】
2019159548.tif 000003
【図２】
2019159548.tif 000004
【図３】
2019159548.tif 000005
【図４】
2019159548.tif 000006
【図５】
2019159548.tif 000007
【図６】
2019159548.tif 000008
【図７】
2019159548.tif 000009
【図８】
2019159548.tif 000010
【図９】
2019159548.tif 000011
【図１０】
2019159548.tif 000012
【図１１】
2019159548.tif 000013
【図１２Ａ】
2019159548.tif 000014
【図１２Ｂ】
2019159548.tif 000015
【図１３】
2019159548.tif 000016
【図１４】
2019159548.tif 000017
【図１５】
2019159548.tif 000018
【図１６】
2019159548.tif 000019
【図１７】
2019159548.tif 000020
【図１８】
2019159548.tif 000021
【図１９】
2019159548.tif 000022
【図２０】
2019159548.tif 000023
【図２１】
2019159548.tif 000024
【図２２】
2019159548.tif 000025
【図２３】
2019159548.tif 000026
【図２４】
2019159548.tif 000027
【図２５】
2019159548.tif 000028
【国際調査報告】
2019159548.tif 000029
2019159548.tif 000030
2019159548.tif 000031
2019159548.tif 000032